(57)【要約】【課題】  組立時に治工具を不要とし、組立性の向上を図る。【解決手段】  ホルダ９後端の拡径部８の外周にキー溝１０を備えたフェルール６と、スプリング４を介してキー溝１０に係合するよう先端にキー部分１１を備え、キー部分１１の付け根から後方側に雄螺子部１２を設けたブッシング５と、ブッシング５の雄螺子部１２に螺合するよう内周に雌螺子部１３を形成したフレーム１とを備え、ブッシング５のキー部分１１の付け根から雄螺子部１２の間にブッシング側スリーブ部分１４、フレーム１内周の雌螺子部１３とフレーム１開口端との間にフレーム側スリーブ部分１５を各設け、そのスリーブ部分１４、１５それぞれの長さを、フレーム１にフェルール６とスプリング４を介してブッシング５で押し込むに際し、キー部分１１がキー溝１０に係合可能となる押し込みストロークを有するよう形成する。【選択図】          図２
2005309262.tif 000002
【特許請求の範囲】
【請求項１】
ホルダ後端に形成された拡径部の外周にキー溝を備えて成るフェルールと、スプリングを介してこのキー溝に係合するよう先端に突起状のキー部分を備え、且つキー部分の付け根から後方側に雄螺子部を設けて成るブッシングと、フェルールの外周に装着され、前記ブッシングの雄螺子部に螺合するよう内周に雌螺子部が形成されて成るフレームとを備え、前記ブッシングのキー部分の付け根から雄螺子部の間に、螺子溝無しのブッシング側スリーブ部分を設けると共に、フレーム内周の雌螺子部と当該フレーム開口端との間に、螺子溝無しのフレーム側スリーブ部分を設け、ブッシング側スリーブ部分、フレーム側スリーブ部分それぞれの長さを、フレームにフェルールと非圧縮時のスプリングを介してブッシングで押し込むに際し、キー部分がキー溝に係合可能となるような押し込みストロークを有するよう形成したことを特徴とする光コネクタプラグ。
【請求項２】
拡径部外周のキー溝は、９０°間隔毎に合計４つが切欠形成され、このキー溝に係合するブッシング先端のキー部分は上下対向位置に合計２つが突設されている請求項１記載の光コネクタプラグ。
【請求項３】
フレームにワッシャを介してカップリングナットがねじ込み外装されていることを特徴とする請求項１記載の光コネクタプラグ。
【発明の詳細な説明】
【技術分野】
【０００１】
本発明は、光通信システム用の光ケーブル同士を接続するのに使用される例えばＦＣ形の光コネクタプラグに関する。
【背景技術】
【０００２】
従来から光コネクタプラグは、マルチモード用またはシングルモード用のジルコニアスリーブタイプのものが主流を占めている。このタイプの光コネクタプラグにおいては、図６乃至図１０に示すように、光コネクタプラグＰを構成するフェルール６に外装固定され、軸芯に光ファイバ（図示せず）を貫通固着する微小孔７を形成し、後端に拡径部８を有するホルダ９の当該拡径部８の外周に、例えば９０°間隔毎に４つのキー溝１０が切欠形成され、このキー溝１０に係合するためにブッシング５先端には上下一対の突起状のキー部分１１が突設されている。そして、フェルール６の外周に装着されるフレーム１の内周全体に雌螺子部１３が形成され、ブッシング５のキー部分１１の付け根から後方側にかけてはこの雌螺子部１３に螺合する雄螺子部１２が形成されている。
【０００３】
組み付けに際しては、図６に示すように、フレーム１にフェルール６とスプリング４を介してブッシング５で押し込む。その際、フェルール６の何れか２つのキー溝１０に対しブッシング５の上下一対のキー部分１１が食い込むように係合し、フェルール６とブッシング５をスプリング４の弾発力に抗しつつ固定しながらフレーム１を廻してブッシング５へねじ込み締結させていた。すなわち、ブッシング５に対してフレーム１を廻しながらキー溝１０にキー部分１１が係止されるものとしているため、このとき不図示の治工具等によってフレーム１とブッシング５との何らかの固定手段が必要となるのであった。しかる後、フレーム１にワッシャ３を介して、外周にローレットを施し、内周に雌螺子部を施したカップリングナット２がねじ込み外装される。
【特許文献１】特になし
【発明の開示】
【発明が解決しようとする課題】
【０００４】
しかしながら、上記した従来の光コネクタプラグは、組立時に治工具等によってフレームとブッシングとの固定手段が必要となるため、非常に面倒な組み付け作業となり、手間と時間が掛かるという問題点を有していた。
【０００５】
本発明は、叙上のような従来存した問題点を解消するためになされたもので、組立時に治工具等によってフレームとブッシングとの固定手段を何等必要とせずに、フレームに対しフェルールとスプリングを介してブッシングで押し込むと同時にフェルールのキー溝にブッシングのキー部分が係入するようにでき、このまま押し込みながらフレームをブッシングにねじ込み締結可能にすることで組立性の向上した光コネクタプラグを提供することを目的とする。
【課題を解決するための手段】
【０００６】
上記した目的を達成するため本発明にあっては、ホルダ後端に形成された拡径部の外周にキー溝を備えて成るフェルールと、スプリングを介してこのキー溝に係合するよう先端に突起状のキー部分を備え、且つキー部分の付け根から後方側に雄螺子部を設けて成るブッシングと、フェルールの外周に装着され、前記ブッシングの雄螺子部に螺合するよう内周に雌螺子部が形成されて成るフレームとを備え、前記ブッシングのキー部分の付け根から雄螺子部の間に、螺子溝無しのブッシング側スリーブ部分を設けると共に、フレーム内周の雌螺子部と当該フレーム開口端との間に、螺子溝無しのフレーム側スリーブ部分を設け、ブッシング側スリーブ部分、フレーム側スリーブ部分それぞれの長さを、フレームにフェルールと非圧縮時のスプリングを介してブッシングで押し込むに際し、キー部分がキー溝に係合可能となるような押し込みストロークを有するよう形成したことを特徴とする。
【０００７】
ここにおいて、拡径部外周のキー溝は、９０°間隔毎に合計４つが切欠形成され、このキー溝に係合するブッシング先端のキー部分は上下対向位置に合計２つが突設されているものとすることができる。
【０００８】
さらに、フレームにワッシャを介してカップリングナットがねじ込み外装されているものとすることもできる。
【０００９】
以上のように構成された本発明に係る光コネクタプラグにあって、ブッシング側スリーブ部分、フレーム側スリーブ部分それぞれは、フレームに対しフェルールとスプリングを介してブッシングで押し込んだ際に、フェルールのキー溝にブッシングのキー部分が係入されるまで押し込み移動可能にさせ、このまま押し込みながらフレームをブッシングに螺子締結可能にさせている。すなわち、ブッシング先端に設けた突起状のキー部分がフェルールのキー溝に係合された後に、スプリングの弾発力に抗しつつフレーム内周の雌螺子部とブッシング外周の雄螺子部とが螺合して締結されるようになっている。
【発明の効果】
【００１０】
本発明は、以上のように構成されているために、組立時に治工具等によってフレームとブッシングとの固定手段を何等必要とせずに、フレームに対しフェルールとスプリングを介してブッシングで押し込む際に、スプリングの弾発力を受けることなくフェルールのキー溝にブッシングのキー部分が係入するようにでき、このまま押し込みながらフレームをブッシングにねじ込み締結することができ、これによって組み付け作業時における組立性の向上を図ることができる。また、本発明は、ＦＣ形の光コネクタプラグ全般において使用可能となり、しかも製造時にフレーム内周の雌螺子部およびブッシング外周の雄螺子部の長さ寸法、またはそのうちのいずれか片方の長さ寸法を予め設定しておけば、ブッシングを押し込み回転させるだけでフェルールのキー溝にブッシングのキー部分が容易に係入するようにできる。
【００１１】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１２】
以下、本発明を実施する最良の形態を図面を参照して説明すると、図に示される符号Ｐは、光通信システム用の光ケーブル同士を接続するのに使用される例えばＦＣ形の光コネクタプラグであり、この光コネクタプラグＰは、図１に示すように、フレーム１、カップリングナット２、ワッシャ３、スプリング４、ブッシング５、フェルール６それぞれが主要部材として構成されており、組み付けに際しては、フレーム１に対しフェルール６とスプリング４を介してブッシング５で押し込みながらフレーム１をブッシング５にねじ込み締結した後、フレーム１にワッシャ３を介して、外周にローレットを施し、内周に雌螺子部を施したカップリングナット２がねじ込み外装される構造となっている。
【００１３】
図２に示すように、フェルール６は、軸芯に光ファイバ（図示せず）を貫通固着する微小孔７を形成し、後端に拡径部８を有するホルダ９を外装固定し、拡径部８の外周には、９０°間隔毎に合計４つの矩形切欠溝状のキー溝１０を形成してある。
【００１４】
また、スプリング４は、前記ホルダ９の拡径部８に係止された状態にホルダ９に外装固定されるよう、例えばコイル状に形成されている。
【００１５】
ブッシング５は、フレーム１の内周に一部装着されるよう略円筒状に形成され、スプリング４を介して前記キー溝１０に係合するよう先端に矩形突起状のキー部分１１を上下対向位置に合計２つが突設配置され、且つキー部分１１の付け根位置から後方側の六角リング状のフランジ部１６位置までの間には雄螺子部１２が設けられている。
【００１６】
図３に示すように、フレーム１は、フェルール６の外周に装着されるよう略円筒状に形成されており、前記ブッシング５の雄螺子部１２に螺合するよう内周には雌螺子部１３が形成されている。そして、フレーム１の雌螺子部１３位置よりも離れた前寄りの内周箇所には、フェルール６の拡径部８を前方から係止保持するためのリング状の係止突部１７が内方に向けて突設してある。
【００１７】
また、図５に示すように、前記ブッシング５のキー部分１１の付け根位置から雄螺子部１２までの間には螺子溝無しの円筒状のブッシング側スリーブ部分１４が設けられ、これに対応して図４に示すように、フレーム１内周の雌螺子部１３と当該フレーム１開口端との間には螺子溝無しの円筒状のフレーム側スリーブ部分１５が設けられている。
【００１８】
このとき、図４、図５に示すように、ブッシング側スリーブ部分１４の長さＬ、フレーム側スリーブ部分１５の長さｌは、フレーム１にフェルール６とスプリング４を介してブッシング５で押し込むに際し、スプリング４を圧縮させることなくキー部分１１がキー溝１０に係合可能となるような押し込みストロークを有するものとしてある。すなわち、フレーム１に対しフェルール６とスプリング４を介してブッシング５で押し込むと同時にフェルール６のキー溝１０にブッシング５のキー部分１１がスプリング４の弾発力を受けることなく係入され、このまま押し込みながらフレーム１をスプリング４の弾発力に抗しつつブッシング５にねじ込み締結するものとしてある。
【００１９】
具体的には、例えば製造時に、フレーム１内周に形成される雌螺子部１３およびブッシング５外周に形成される雄螺子部１２それぞれの長さ寸法、またはそのうちのいずれか片方の長さ寸法を予め設定しておくことで、ブッシング側スリーブ部分１４の長さＬと、フレーム側スリーブ部分１５の長さｌそれぞれが形成され、これによりブッシング５を押し込むだけでフェルール６のキー溝１０にブッシング５のキー部分１１が容易、確実に係入するように構成することができる。
【００２０】
次に、以上のように構成された最良の形態についての使用、組立の一例を説明するに、図１に示すように、フレーム１に対しフェルール６とスプリング４を介してブッシング５で押し込む。この際、ブッシング側スリーブ部分１４、フレーム側スリーブ部分１５それぞれによって、フェルール６のキー溝１０にブッシング５のキー部分１１が係入されるまで押し込み移動させ、このまま押し込みながらさらにフレーム１をスプリング４の弾発力に抗しつつブッシング５にねじ込み締結させる。すなわち、ブッシング５先端に設けた突起状の２つのキー部分１１がフェルール６の４つのキー溝１０のうち、互いに対向する何れか２つに係合された後に、フレーム１内周の雌螺子部１３とブッシング５外周の雄螺子部１３とが螺合して締結される。そして、フレーム１をブッシング５にねじ込み締結した後には、フレーム１にワッシャ３を介してカップリングナット２がねじ込み外装される。
【図面の簡単な説明】
【００２１】
【図１】本発明を実施するための最良の形態における分解状態の斜視図である。
【図２】同じく組付状態の一部断面の斜視図である。
【図３】同じく一部断面の平面図である。
【図４】同じくフレームの一部断面の平面図である。
【図５】同じくブッシングの一部断面の平面図である。
【図６】従来例における分解状態の斜視図である。
【図７】同じく組付状態の一部断面の斜視図である。
【図８】同じく一部断面の平面図である。
【図９】同じくフレームの一部断面の平面図である。
【図１０】同じくブッシングの一部断面の平面図である。
【符号の説明】
【００２２】
Ｐ    光コネクタプラグ
１    フレーム
２    カップリングナット
３    ワッシャ
４    スプリング
５    ブッシング
６    フェルール
７    微小孔
８    拡径部
９    ホルダ
１０  キー溝
１１  キー部分
１２  雄螺子部
１３  雌螺子部
１４  ブッシング側スリーブ部分
１５  フレーム側スリーブ部分
１６  フランジ部
１７  係止突部
【図１】
2005309262.tif 000003
【図２】
2005309262.tif 000004
【図３】
2005309262.tif 000005
【図４】
2005309262.tif 000006
【図５】
2005309262.tif 000007
【図６】
2005309262.tif 000008
【図７】
2005309262.tif 000009
【図８】
2005309262.tif 000010
【図９】
2005309262.tif 000011
【図１０】
2005309262.tif 000012